(57)【要約】【課題】構造が簡単で製造コストが安価なだけでなく簡単で多様な施工が可能な建築パネルのコーナ納め構造を提供する。【解決手段】縦の見切材２と横の見切材３は、建築パネル５の側端面５ｃ、５ｄを覆い隠す底部２ａ、３ａの内面に、端面２ｂ、３ｂ側が少なくとも開口する嵌合溝部２ｃ、３ｃを形成し、コーナキャップ４は、勝ち側となる縦の見切材２に形成された嵌合溝部２ｃに開口から挿入されるように嵌入される突片４ｆを立設した構造とされており、縦の見切材２と横の見切材３は、パネル５の縦、横側端部５ａ、５ｂに、いずれか一方が勝ち側となるようにして、概ね直交状態に突合せて取付けてから、コーナキャップ４の突片４ｆを、勝ち側となる縦の見切材２に形成された嵌合溝部２ｃに嵌入れることで、建築パネル５の突き合わせ部分に、コーナキャップ４を被せている。【選択図】図１
2009191531.tif 000002
【特許請求の範囲】
【請求項１】
下地面に取り付けた矩形の建築パネルの縦、横側端部に、縦、横の見切材を、それぞれの端部が直交するようにして突き合わせ、その突合せ部分にコーナキャップを被せた構造とした建築パネルのコーナ納め構造であって、
上記縦、横の見切材は、上記建築パネルの側端面を覆い隠す底部の内面に、端面側が少なくとも開口する嵌合溝部を形成した、断面略コ字状に形成されており、
上記コーナキャップは、
縦壁と横壁とを直交させるとともに、これらの縦壁、横壁とに更に直交するように建築カバー片を設けて、縦壁側に縦見切材の端部、横壁側に横見切材の端部をそれぞれ収容する縦見切材収容空間、横見切材収容空間を形成するともに、これらの縦見切材収容空間、横見切材収容空間のいずれか一方には、勝ち側となる見切材に形成された上記嵌合溝部に開口から挿入されるように嵌入される突片を立設した構造とされており、
上記縦、横の見切材は、上記パネルの縦、横側端部に、いずれか一方が勝ち側となるようにして、概ね直交状態に突合せて取付けてから、上記コーナキャップの上記突片を、勝ち側となる見切材に形成された上記嵌合溝部に嵌入れることで、上記縦、横の見切材の突合せ端部を、縦見切材収容空間、横見切材収容空間に収容させて、上記建築パネルの突き合わせ部分に、上記コーナキャップを被せたことを特徴とする、建築パネルのコーナ納め構造。
【請求項２】
請求項１において、
上記見切材の上記嵌合溝部は、溝底面が開口部よりも広がった断面形状をなしており、
上記コーナキャップの突片は、上記嵌合溝部の断面形状に対応させて、底端側が広くなった断面形状をなしていることを特徴とする、建築パネルのコーナ納め構造。
【請求項３】
請求項１または２において、
上記コーナキャップの突片には、少なくとも２以上の先端を丸めたスライド小突起が上記勝ち側となる見切材の嵌合溝部の溝底面に向いて突出させていることを特徴とする、建築パネルのコーナ納め構造。
【請求項４】
請求項１または２において、
上記縦、横の見切材のいずれか勝ち側となる見切材の両端に、それぞれが対称的な位置関係となるコーナキャップを被せた構造にしていることを特徴とする、建築パネルのコーナ納め構造。
【発明の詳細な説明】
【技術分野】
【０００１】
本発明は、建築パネルのコーナ納め構造の改良に関する。
【背景技術】
【０００２】
建築パネルのコーナ納め構造として一般に矩形の建築パネルの縦、横の見切材の突合せ部分にコーナキャップを被せるように構成した構造が知られている。このような建築パネルのコーナ納め構造は、従来、コーナキャップを縦横の見切材にコーキング材や接着剤等を介して装着していた。
【０００３】
しかしながら、この方法では、コーキング材や接着剤等をコーナキャップや縦横の見切材に塗布する作業が必要になるだけでなく、コーキング材や接着剤等が硬化するまで、養生期間を取らなければならないなど、施工が面倒であった。
【０００４】
そこで、コーナキャップを横の見切材の端部と縦の見切材の端部に嵌合させるように構成した見切材コーナー納め構造が種々開発されている。
【０００５】
例えば、特許文献１には、天井のコーナー部に直交する２方向からの天井板見切りランナーの端部を隠すコーナー役物が備えられ、このコーナー役物に天井板見切りランナーの端部が受け入れられるように構成された端部処理構造が開示され提案されている。
【０００６】
また、特許文献２には、開口のコーナー部において、断面略コ字状に形成された見切材端部を互いにカバー材にて連結するように構成された見切材の取り付け構造が開示され提案されている。
【特許文献１】特開２００１−２７９８５８号公報
【特許文献１】特開平９−３１０４７４号公報
【発明の開示】
【発明が解決しようとする課題】
【０００７】
しかしながら、上述の特許文献１に開示された見切りランナーの端部処理構造や特許文献２に開示された見切材の取り付け構造では、両方の見切材の端部をそれぞれコーナー役物やカバー材などに嵌合させながら見切材同士を突き合わせる必要があり、依然として施工が面倒であるという問題があった。
【０００８】
例えば、突き合わされた状態の２つの見切材の一方に後からコーナキャップを嵌合させるだけで施工を完了させたり、あるいは、２つの見切材の一方に予めコーナキャップを嵌合させた後に２つの見切材を突き合わせた状態にしたりするなどということはできなかった。
【０００９】
本発明は上記事情に鑑みてなされたものであり、構造が簡単で製造コストが安価なだけでなく、見切材が縦勝、横勝のいずれの形態に施工されても、例えば、突き合せ状態で、建築パネルに取り付けた２つの見切材の一方に、コーナーキャップを被せるだけで施工したり、２つの見切材の一方に予め嵌合させた後に、他方の見切材を突き合わせた状態に挿入したりすることができるなど、簡単で多様な施工が可能な建築パネルのコーナ納め構造を提供することを目的としている。
【課題を解決するための手段】
【００１０】
上記目的を達成するために、本発明に係る建築パネルのコーナ納め構造は、下地面に取り付けた矩形の建築パネルの縦、横側端部に、縦、横の見切材を、それぞれの端部が直交するようにして突き合わせ、その突合せ部分にコーナキャップを被せた構造とした建築パネルのコーナ納め構造であって、上記縦、横の見切材は、上記建築パネルの側端面を覆い隠す底部の内面に、端面側が少なくとも開口する嵌合溝部を形成した、断面略コ字状に形成されており、上記コーナキャップは、縦壁と横壁とを直交させるとともに、これらの縦壁、横壁とに更に直交するように建築カバー片を設けて、縦壁側に縦見切材の端部、横壁側に横見切材の端部をそれぞれ収容する縦見切材収容空間、横見切材収容空間を形成するともに、これらの縦見切材収容空間、横見切材収容空間のいずれか一方には、勝ち側となる見切材に形成された上記嵌合溝部に開口から挿入されるように嵌入される突片を立設した構造とされており、上記縦、横の見切材は、上記パネルの縦、横側端部に、いずれか一方が勝ち側となるようにして、概ね直交状態に突合せて取付けてから、上記コーナキャップの上記突片を、勝ち側となる見切材に形成された上記嵌合溝部に嵌入れることで、上記縦、横の見切材の突合せ端部を、縦見切材収容空間、横見切材収容空間に収容させて、上記建築パネルの突き合わせ部分に、上記コーナキャップを被せたことを特徴とする。
【００１１】
また、本発明の前記建築パネルのコーナ納め構造においては、上記見切材の上記嵌合溝部は、溝底面が開口部よりも広がった断面形状をなしており、上記コーナキャップの突片は、上記嵌合溝部の断面形状に対応させて、底端側が広くなった断面形状をなしてもよい。
【００１２】
また、本発明の前記建築パネルのコーナ納め構造においては、上記コーナキャップの突片には、少なくとも２以上の先端を丸めたスライド小突起が上記勝ち側となる見切材の嵌合溝部の溝底面に向いて突出させてもよい。
【００１３】
また、本発明の前記建築パネルのコーナ納め構造においては、上記縦、横の見切材のいずれか勝ち側となる見切材の両端に、それぞれが対称的な位置関係となるコーナキャップを被せた構造にしてもよい。
【発明の効果】
【００１４】
本発明に係る前記建築パネルのコーナ納め構造によれば、縦、横の見切材には、端面側が少なくとも開口する嵌合溝部が形成され、コーナキャップには、勝ち側となる見切材に形成された嵌合溝部に開口から挿入されるように嵌入される突片が立設された構造になっているので、見切材が縦勝、横勝のいずれの形態に施工されても、勝側となる見切材の端部に開口した嵌合溝部に、コナーキャップの突出片を挿入するだけで、コーナキャップを突合部に簡単に装着することができ、施工が簡単となる。
【００１５】
特に、本発明では、突き合せ状態で、建築パネルに取り付けた２つの見切材の一方に、コーナーキャップを被せるだけで施工ができるが、２つの見切材の一方に予め嵌合させた後に、他方の見切材を突き合わせた状態に挿入することでも施工が出来るので、簡単で多様な施工を実現することができる。
【００１６】
また、コーナキャップも必要かつ最小限な部材で構成することで、構造を簡単にして製造コストを抑制することができる。
【００１７】
次に、本発明に係る前記建築パネルのコーナ納め構造において、見切材の嵌合溝部を、溝底面が開口部よりも広がった断面形状にし、コーナキャップの突片を、上記嵌合溝部の断面形状に対応させて、底端側が広くなった断面形状にすれば、コーナキャップの突片の挿入時に、位置合わせし、嵌合溝部の端部開口からスライドさせて挿入できる。
【００１８】
また、勝側の見切材を収容空間に収容させた場合に、突片が抜け出ることがないだけでなく、コーナキャップが見切材から不用意に脱落することがない。
【００１９】
また、本発明に係る前記建築パネルのコーナ納め構造において、コーナキャップの突片に、少なくとも２以上の先端を丸めたスライド小突起が勝ち側となる見切材の嵌合溝部の溝底面に向いて突出させるようにすれば、コーナキャップの突片を挿入する時に摺動させればよく取付作業が容易になる。
【００２０】
また、溝部と突片とに多少の寸法誤差があっても、隙間を生じさせずにこれらの寸法誤差を吸収することができる。
【００２１】
さらに、本発明に係る前記建築パネルのコーナ納め構造において縦、横の見切材のいずれか勝ち側となる見切材の両端に、それぞれが対称的な位置関係となるコーナキャップを被せた構造にすれば、見切材が縦勝、横勝のいずれの形態に施工されても、見切材の両側の突合部にコーナキャップを装着することができる。
【発明を実施するための最良の形態】
【００２２】
以下、添付図面を参照しながら本発明の最良の実施の形態について図面に基づいて説明する。図１は、本発明の建築パネルのコーナ納め構造１の要部をなす、縦の見切材２と横の見切材３と、コーナキャップ４との組み合わせ位置関係を示す図であり、図２は、コーナキャップ４の詳細な構造を示す斜視図である。また、図３は、縦の見切材２と横の見切材３の横断面構造を示す図である。図４は、本発明の建築パネル５の取付構造の施工要領を示す図であり、（ａ）は建築パネル５のコーナ部７に縦の見切材２と横の見切材３を取付けた状態の説明図，（ｂ）は、更にコーナキャップ４を取付けた状態の説明図である。そして、図５は、縦の見切材２と横の見切材３とコーナキャップ４とを取付けた建築パネル５のコーナ部７の構造を示す要部横断面構造図である。
【００２３】
本実施形態に係る建築パネルのコーナ納め構造１は、図１に示すように、縦の見切材２と横の見切材３を、それぞれの端部が直交するようにして突き合わせ、その突合せ部分にコーナキャップ４を被せることにより、建築パネルのコーナ部の仕上げを可能にするものである。
【００２４】
上記縦の見切材２と横の見切材３は、図１、図３に示すように、建築パネル５（図４）の側端面５ｃ、５ｄをそれぞれ覆い隠す底部２ａ、３ａの内面に、端面２ｂ、３ｂ側が開口する嵌合溝部２ｃ、３ｃを形成した、断面略コ字状に形成された長尺部材であり、プラスチックで構成されている。
【００２５】
ここで、縦の見切材２と横の見切材３の嵌合溝部２ｃ、３ｃは、図３に示すように、溝底面２ｄ、３ｄが開口部２ｅ、３ｅよりも広がった断面形状をなしている。
【００２６】
これら縦の見切材２と横の見切材３は、図４に示すように建築パネル５の縦、横側端部５ａ、５ｂに、縦の見切材２と横の見切材３を、それぞれの端部が直交するようにして突き合わせて接着剤やねじなどの図略の固定具で下地面６に取り付ける。そして、これら縦の見切材２と横の見切材３の突合せ部分にコーナキャップ４を被せることにより、建築パネルのコーナが納められる。なお、建築パネル５は、図８、図９の断面図に示すようにして、下地面６に接着剤などで取り付けられる。
【００２７】
上記コーナキャップ４もプラスチック製の部材であり、図２に示すように、縦壁４ａと横壁４ｂとを直交させるとともに、これらの縦壁４ａ、横壁４ｂとに更に直交するように建築カバー片４ｃが設けられ、これらによって縦壁４ａ側に縦の見切材２の端部を収容する縦見切材収容空間４ｄが形成され、横壁４ｂ側に横の見切材２の端部を収容する横見切材収容空間４ｅが形成されている。
【００２８】
そして、縦見切材収容空間４ｄには、勝ち側となる縦の見切材２に形成された嵌合溝部２ｃに開口から挿入されるように嵌入される突片４ｆが立設されている。このコーナキャップ４の突片４ｆは、嵌合溝部２ｃ、３ｃの断面形状に対応させて底端４ｈ側が広くなった断面形状をなしている。
【００２９】
また、コーナキャップ４の突片４ｆには、本実施形態では、先端を丸めた２つのスライド小突起４ｇが勝ち側となる見切材２の嵌合溝部２ｃの溝底面２ｄに向いて突出するように設けられている。
【００３０】
さらに、縦の見切材２と横の見切材３の嵌合溝部２ｃ、３ｃは、図３に示すように、コーナキャップ４の突片４ｆの断面形状に対応させて、溝底面２ｄ、３ｄが開口部２ｅ、３ｅよりも広がった断面形状をなしている。
【００３１】
縦の見切材２と横の見切材３は、図４に示すように、パネル５の縦、横側端部５ａ、５ｂに、いずれか一方が勝ち側となるようにして、概ね直交状態に突合せて取付けてから、図１、図５に示すように、コーナキャップ４の突片４ｆを、勝ち側となる縦の見切材２に形成された嵌合溝部２ｃに嵌入れる。
【００３２】
このように、本実施形態に係る建築パネルのコーナ納め構造１は、縦の見切材２と横の見切材３の突合せ端部を、縦見切材収容空間４ｄ、横見切材収容空間４ｅに収容させて、建築パネル５の突き合わせ部分に、コーナキャップ４を被せた構成になっている。
【００３３】
次に、図１から図４と、図６〜図９とを参照して、本実施形態に係る建築パネルのコーナ納め構造１の施工方法と作用について説明する。図６は、複数の建築パネル５に配列して施工する要領の説明図であり、（ａ）は、縦の見切材２と横の見切材３を１つずつ取付けた状態の説明図，（ｂ）は建築パネル５を並べ、もう１つの横の見切材３を取り付けたあと、最後に縦の見切材２を取付ける寸前の状態の説明図，（ｃ）は、更にコーナキャップ４を取付けた後の状態の説明図である。また、図７は、縦の見切材２と横の見切材３とコーナキャップ４とを取付けた建築パネル５のコーナ部７における、両者の位置関係を示す概略斜視図であり、図８は、図６のVIII―VIII線概略断面図である。そして、図９は、図６のIX―IX線概略断面図である。
【００３４】
本発明の実施の形態に係る建築パネルのコーナ納め構造１は、図６（ａ）に示すように、まず、パネル５が設置される下地面６において、縦の見切材２と横の見切材３を、１つずつそれぞれの端部が直交するようにして突き合わせて接着剤やねじなどの図略の固定具で下地面６に取り付ける。この時、縦の見切材２と横の見切材３は、図７に示すように縦の見切材２が勝ち側となるようにして、概ね直交状態に突合せる。
【００３５】
次に、図６（ｂ）、図８、図９に示すように、矩形の建築パネル５を下地面６に接着剤で取り付け、すべて取り付けた後に残りの縦の見切材２と横の見切材３をそれぞれの端部が直交するようにして突き合わせて取り付ける。この時、建築パネル５は、下地面６に接着剤やねじなどの図略の固定具で取り付けられた長ジョイナ受け８ａや短ジョイナ受け９ａにそれぞれ嵌め合いされる長ジョイナ８と短ジョイナ９とを間に挟みながら下地面６に取り付けられる。
【００３６】
そして、最後に、図６（ｃ）に示すように、縦の見切材２と横の見切材３のそれぞれの突合せ部分にコーナキャップ４を被せる。この時、勝ち側となる縦の見切材２の両端にそれぞれが対称的な位置関係となるコーナキャップ４を被せる。また、コーナキャップ４の突片４ｆを、勝ち側となる縦の見切材２の嵌合溝部２ｃに嵌入する。こうして、図８、図９に示すように、縦の見切材２と横の見切材３の突き合わせ部分に、コーナキャップ４が被せられるが、この時、縦見切材収容空間４ｄに、縦の見切材２の端部を収容し、横見切材収容空間４ｅに、横の見切材３の端部を収容するように取り付ける。
【００３７】
なお、建築パネルのコーナ納め構造１の施工方法においては、必ずしも図２（ａ）に示すように、縦の見切材２と横の見切材３を、先に下地面６に取り付ける必要はない。パネル５から取り付けることも可能である。
【００３８】
また、コーナキャップ４も図２（ｃ）に示すように、最後に縦の見切材２と横の見切材３のそれぞれの突合せ部分に被せる必要もない。例えば、まず、コーナキャップ４を縦の見切材２と横の見切材３のいずれか勝ち側に被せた状態で取り付け、その後に他方の負け側の縦の見切材２と横の見切材３を下地面６に取り付けてもよい。
【００３９】
このように、コーナキャップ４の突片４ｆを、勝ち側となる縦の見切材２に形成された嵌合溝部２ｃに嵌入れることで、突き合わせ部分に、コーナキャップ４を被せる施工であれば、種々の施工態様が可能である。
【００４０】
以上説明したように、本発明の実施の形態に係る建築パネルのコーナ納め構造１によれば縦の見切材２と横の見切材３には、建築パネル５の側端面５ｃ、５ｄを覆い隠す底部２ａ、３ａの内面に、端面２ｂ、３ｂ側が少なくとも開口する嵌合溝部２ｃ、３ｃが形成され、コーナキャップ４には、勝ち側となる縦の見切材２に形成された嵌合溝部２ｃに開口から挿入されるように嵌入される突片４ｆが立設された構造になっているので、見切材２、３が縦勝、横勝のいずれの形態に施工されても、勝側となる見切材の端部に開口した嵌合溝部２ｃ、３ｃに、コーナキャップ４の突出片４ｆを挿入するだけで、コーナキャップ４を突合部に簡単に装着することができ、施工が簡単となる。
【００４１】
特に、突き合せ状態で、建築パネル５に取り付けた２つの見切材２、３の一方に、コーナキャップ４を被せるだけで施工ができるが、２つの見切材２、３の一方に予め嵌合させた後に、他方の見切材２、３を突き合わせた状態に挿入することでも施工が出来るので、簡単で多様な施工を実現することができる。
【００４２】
また、コーナキャップ４も必要かつ最小限な部材で構成することで、構造を簡単にして製造コストを抑制することができる。
【００４３】
また、縦の見切材２と横の見切材３の嵌合溝部２ｃ、３ｃが、溝底面２ｄ、３ｄが開口部２ｅ、３ｅよりも広がった断面形状をなしており、コーナキャップ４の突片４ｆが、嵌合溝部２ｃ、３ｃの断面形状に対応させて、底端４ｈ側が広くなった断面形状をなしているので、コーナキャップ４の突片４ｆの挿入時に、位置合わせし、嵌合溝部の端部開口からスライドさせて挿入できる。
【００４４】
また、勝側の縦の見切材２と横の見切材３を収容空間に収容させた場合に、突片４ｆが抜け出ることがないだけでなく、コーナキャップ４が縦の見切材２と横の見切材３から不用意に脱落することがない。
【００４５】
また、コーナキャップ４の突片４ｆには、少なくとも２以上の先端を丸めたスライド小突起４ｇが勝ち側となる見切材の嵌合溝部の溝底面２ｄ，３ｄに向いて突出させているので、コーナキャップ４の突片４ｆを挿入する時に摺動させればよく取付作業が容易になる。
【００４６】
そして、このような構造によれば、嵌合溝部２ｃ、３ｃと突片４ｆとに多少の寸法誤差があっても、隙間を生じさせずにこれらの寸法誤差を吸収することができる。
【００４７】
さらに、縦、横の見切材のいずれか勝ち側となる見切材の両端に、それぞれが対称的な位置関係となるコーナキャップ４を被せた構造にしているので、見切材２、３が縦勝、横勝のいずれの形態に施工されても、見切材２、３の両側の突合部にコーナキャップ４を装着することができる。
【００４８】
上述した実施の形態は本発明の好ましい具体例を例示したものに過ぎず、本発明は上述した実施の形態に限定されない。
【００４９】
例えば、縦の見切材２と横の見切材３は必ずしも図１、図３に示すように断面略コ字状に形成されたプラスチック製のものに限らない。建築パネル５の側端面５ｃ、５ｄを覆い隠す底部２ａ、３ａの内面に、端面２ｂ、３ｂ側が少なくとも開口する嵌合溝部２ｃ、３ｃを形成したものであれば、種々の形状、材質が可能である。
【００５０】
また、縦の見切材２と横の見切材３の嵌合溝部２ｃ、３ｃ必ずしも図１、図３に示すように、長手方向に開口したものに限られない。建築パネル５（図４）の側端面５ｃ、５ｄをそれぞれ覆い隠す底部２ａ、３ａの内面に、端面２ｂ、３ｂ側が少なくとも開口していれば、例えば、長手方向に開口していなくともよい。
【００５１】
また、コーナキャップ４も必ずしも図２に示すような形状に形成されたプラスチック製のものに限らず、アルミ型材などで形成してもよい。縦見切材収容空間４ｄ、横見切材収容空間４ｅのいずれか一方に、勝ち側となる見切材２、３に形成された嵌合溝部２ｃ、３ｃに嵌入される突片４ｆを立設したものであれば、種々の形状、材質に設計変更が可能である。
【００５２】
その他、本発明の特許請求の範囲内で種々の設計変更が可能であることはいうまでもない。
【図面の簡単な説明】
【００５３】
【図１】本実施形態に係る建築パネルのコーナ納め構造の要部をなす、縦の見切材と横の見切材と、コーナキャップとの組み合わせ位置関係を示す図である。
【図２】コーナキャップの詳細な構造を示す斜視図である。
【図３】縦の見切材と横の見切材の横断面構造を示す図である。
【図４】本実施形態に係る建築パネルの取付構造の施工要領を示す図であり、（ａ）は建築パネルのコーナ部に縦の見切材と横の見切材を取付けた状態の説明図，（ｂ）は、更にコーナキャップを取付けた状態の説明図である。
【図５】縦の見切材と横の見切材とコーナキャップとを取付けた建築パネル５のコーナ部の構造を示す要部横断面構造図である。
【図６】複数の建築パネルに配列して施工する要領の説明図であり、（ａ）は、縦の見切材と横の見切材を１つずつ取付けた状態の説明図，（ｂ）は建築パネルを並べ、もう１つの横の見切材を取り付けたあと、最後に縦の見切材を取付ける寸前の状態の説明図，（ｃ）は、更にコーナキャップを取付けた後の状態の説明図である。
【図７】縦の見切材と横の見切材とコーナキャップとを取付けた建築パネルのコーナ部における、両者の位置関係を示す概略斜視図である。
【図８】図６のVIII―VIII線概略断面図である。
【図９】図６のIX―IX線概略断面図である。
【符号の説明】
【００５４】
１    建築パネルのコーナ納め構造
２    縦の見切材
２ａ  縦の見切材の底部
２ｃ  縦の見切材の嵌合溝部
２ｄ  縦の見切材の溝底面
２ｅ  縦の見切材の開口部
２ｄ  縦の見切材の溝底面
３    横の見切材
３ａ  横の見切材の底部
３ｃ  横の見切材の嵌合溝部
３ｄ  横の見切材の溝底面
３ｅ  横の見切材の開口部
３ｄ  横の見切材の溝底面
４    コーナキャップ
４ａ  縦壁
４ｂ  横壁
４ｃ  建築カバー片
４ｄ  縦見切材収容空間
４ｅ  横見切材収容空間
４ｆ  突片
４ｇ  スライド小突起
４ｈ  底端
５    建築パネル
５ａ  パネルの縦側端部
５ｂ  パネルの横側端部
５ｃ  パネルの側端面
５ｄ  パネルの側端面
６    下地面
７    コーナ部
【図１】
2009191531.tif 000003
【図２】
2009191531.tif 000004
【図３】
2009191531.tif 000005
【図４】
2009191531.tif 000006
【図５】
2009191531.tif 000007
【図６】
2009191531.tif 000008
【図７】
2009191531.tif 000009
【図８】
2009191531.tif 000010
【図９】
2009191531.tif 000011